(57)【要約】【課題】ブリスターパックにおいて、ヘッダー面積を拡大するとともに、ブリスター材料を削減する。【解決手段】吊り下げ孔１ａ・２ａが各々形成されたブリスター１及び台紙２からなるブリスターパックであって、ブリスター１の吊り下げ孔１ａの周囲に筒状部１１を形成し、その筒状部１１を台紙２の吊り下げ孔２ａに挿入する。そして、ブリスター１の端部には、折り返した状態で筒状部１１の外周に係止する折り返し片１２を形成する。【選択図】図５
2014122054.tif 000002
【特許請求の範囲】
【請求項１】
吊り下げ孔が形成されたブリスターと、
吊り下げ孔が形成された台紙と、
を備え、
前記ブリスターの前記吊り下げ孔の周囲に筒状部を形成し、
前記筒状部を前記台紙の前記吊り下げ孔に挿入したことを特徴とするブリスターパック。
【請求項２】
前記ブリスターの端部には、折り返した状態で前記筒状部の外周に係止する折り返し片を形成したことを特徴とする請求項１に記載のブリスターパック。
【請求項３】
前記ブリスターの端部には、折り返した状態で前記筒状部が挿入される吊り下げ孔を有する折り返し片を形成したことを特徴とする請求項１に記載のブリスターパック。
【請求項４】
前記台紙には、平坦部と、この平坦部に対し段差をもって高く形成されて前記電子機器の特長等が表示されるヘッダーとの間において、両側部を除いて前記平坦部及びヘッダーにそれぞれ連続する直角壁部と、前記両側部で前記平坦部またはヘッダーに連続する円弧状片部と、を形成したことを特徴とする請求項１から３のいずれか一項に記載のブリスターパック。
【請求項５】
前記台紙には、平坦部と、この平坦部に対し段差をもって高く形成されて前記電子機器の特長等が表示されるヘッダーとの間において、両側部を除いて前記平坦部及びヘッダーにそれぞれ連続する傾斜壁部と、前記両側部で前記平坦部またはヘッダーに連続する円弧状片部と、を形成したことを特徴とする請求項１から３のいずれか一項に記載のブリスターパック。
【請求項６】
前記台紙には、平坦部と、この平坦部に対し段差をもって高く形成されて前記電子機器の特長等が表示されるヘッダーとの間において、両側部まで前記平坦部及びヘッダーにそれぞれ連続する円弧状壁部を形成したことを特徴とする請求項１から３のいずれか一項に記載のブリスターパック。
【請求項７】
前記ブリスターと台紙との間に電子機器が収容されることを特徴とする請求項１から６のいずれか一項に記載のブリスターパック。
【発明の詳細な説明】
【技術分野】
【０００１】
本発明は、ブリスター及び台紙からなるブリスターパックに関する。
【背景技術】
【０００２】
特許文献１において、ブリスターの端を折り曲げて台紙を挟むブリスターパックが提案されている。このブリスターパックは、台紙及びブリスターの上部に展示用の吊り下げ孔があり、その吊り下げ孔の内周面のほぼ全体が、台紙とブリスターを固定するための筒状部や固定用の折り曲げ片で覆われている。その筒状部や折り曲げ片は、ブリスターの前面に折り返すように台紙の上端に延設した舌状片に設けられる。
【０００３】
図１１から図１４は従来のブリスターパック例を示すもので、１はブリスター、２は台紙、３は電子機器である。
図示のように、ブリスター１及び台紙２に吊り下げ孔１ａ・２ａが形成されている。そして、ブリスター１の端部には、台紙２の固定のために、吊り下げ孔１ｃを有する折り返し片１ｂが形成されている。さらに、ブリスター１には、台紙２の上部に段差をもって高く形成され、電卓等の電子機器３の特長等を表示するためのヘッダー２ｈの下辺に沿って位置する、強度確保のための補強用凹部１ｄが形成されている。
【先行技術文献】
【特許文献】
【０００４】
【特許文献１】特開２００８−５６３２９号公報
【発明の概要】
【発明が解決しようとする課題】
【０００５】
しかし、図示のブリスターパック例では、ブリスター１の補強用凹部１ｄの存在により、台紙２のヘッダー２ｈの面積が小さくなり、店頭での展示効果が薄れる問題がある。
また、プラスチック製のブリスター１は、図１４に示すように、折り返し片１ｂが折り返した状態で補強用凹部１ｄまで伸びているために、プラスチック材料の削減が困難であった。
【０００６】
本発明の課題は、ブリスターパックにおいて、ヘッダー面積を拡大するとともに、ブリスター材料を削減することである。
【課題を解決するための手段】
【０００７】
以上の課題を解決するため、本発明は、
吊り下げ孔が形成されたブリスターと、
吊り下げ孔が形成された台紙と、
を備え、
前記ブリスターの前記吊り下げ孔の周囲に筒状部を形成し、
前記筒状部を前記台紙の前記吊り下げ孔に挿入したブリスターパックを特徴とする。
【発明の効果】
【０００８】
本発明によれば、台紙のヘッダーを大きく確保することが可能となり、展示効果アップが実現でき、また、ブリスター材料の削減が可能となる。
【図面の簡単な説明】
【０００９】
【図１】本発明を適用したブリスターパックの一実施形態の構成を示すもので、背面側から見た分解斜視図である。
【図２】図１の台紙の上半部の展開図である。
【図３】図１の台紙及びブリスターの組み付け状態を示した図である。
【図４】図３のブリスターの上端部の折り返し状態を示した図である。
【図５】図４の矢印Ａ−Ａ線に沿った拡大断面図である。
【図６】実施形態２を示すもので、台紙を背面側から見た斜視図である。
【図７】図６の台紙を組み付けたブリスターの上端部の折り返し状態を示した図である。
【図８】実施形態３を示すもので、台紙を背面側から見た斜視図である。
【図９】図８の台紙を組み付けたブリスターの上端部の折り返し状態を示した図である。
【図１０】実施形態４を示すもので、組み付け状態の台紙及びブリスターの上半部を背面側から見た斜視図である。
【図１１】従来のブリスターパック例を示すもので、背面側から見た分解斜視図である。
【図１２】図１１の台紙、機器及びブリスターの組み付け状態を示した図である。
【図１３】図１２のブリスターの上端部の折り返し状態を示した図である。
【図１４】図１３の矢印Ｂ−Ｂ線に沿った断面図である
【発明を実施するための形態】
【００１０】
以下、図を参照して本発明を実施するための形態を詳細に説明する。
（実施形態１）
図１は本発明を適用したブリスターパックの一実施形態の構成を示すもので、１はブリスター、２は台紙、３は電子機器である。
【００１１】
図示のように、プラスチック製のブリスター１に形成される吊り下げ孔１ａの周囲に筒状部１１が形成されている。この筒状部１１は、台紙２の吊り下げ孔２ａに挿入して、台紙２をブリスター１に確実に固定するためのものである。なお、吊り下げ孔１ａ・２ａは、陳列棒に吊り下げた際に中央となるよう上辺が「へ」の字状となっている。
【００１２】
また、ブリスター１の端部には、従来よりも短い折り返し片１２が形成されている。この折り返し片１２は、折り返して吊り下げ孔１ａの周囲の筒状部１１に引っ掛けることで、ロックすることができる。
【００１３】
ここで、ブリスター１は、電子機器、例えば電卓３を収容する膨出部１３と、台紙２のヘッダー２ｈに重なるヘッダーカバー部１４と、台紙２の周囲裏側に重なるガイド片１５を一体成形したものである。なお、膨出部１３には、電卓３の操作キー部を露出する開口１３ａが形成されている。そして、ヘッダーカバー部１４の両側部には、膨出部１３の外側に連続する円弧状部１６が形成されている。
【００１４】
また、折り返し片１２の先端中央には、吊り下げ孔１ａ周囲の筒状部１１上辺の「へ」の字状外周に対応する切り欠き１２ａが形成されている。さらに、折り返し片１２の切り欠き１２ａの手前に沿ってリブ１２ｂが形成されている。
【００１５】
台紙２は、電卓３が配置される平坦部２１の上部に段差をもって高くヘッダー２ｈが形成されており、このヘッダー２ｈの表面に電卓３の特長等が表示される。そして、ヘッダー２ｈと平坦部２１との間において、両側部を除いて平坦部２１及びヘッダー２ｈにそれぞれ連続する直角壁部２２が形成されるとともに、その両側部でヘッダー２ｈに連続する円弧状片２３が形成されている。
【００１６】
図２は台紙２の上半部の展開図で、図示のように、平坦部２１、ヘッダー２ｈ、直角壁部２２、及び円弧状片２３が形成されていて、ヘッダー２ｈの周囲に沿って直角に折り曲げる上辺部２４及び側辺部２５が形成されている。
なお、図２においては、円弧状片２３が直角壁部２２側に回り込む曲線状の切り込み形状となっている。
【００１７】
図３は台紙２及びブリスター１の組み付け状態を示したもので、ブリスター１の膨出部１３に電卓３を収容した状態で、ブリスター１のガイド片１５に沿って台紙２の平坦部２１を差し込むと同時に、ブリスター１のヘッダーカバー部１４内に台紙２のヘッダー２ｈを嵌め込む。このとき、ブリスター１の吊り下げ孔１ａ周囲の筒状部１１を台紙２の吊り下げ孔２ａに挿入する。
【００１８】
図４及び図５はブリスター１の上端部の折り返し状態を示したもので、ブリスター１の折り返し片１２をヘッダーカバー部１４内に折り返して、その先端中央の切り欠き１２ａを吊り下げ孔１ａ周囲の筒状部１１上辺に引っ掛けて係止させる。この折り返し片１２の筒状部１１に対する係止状態はリブ１２ｂの存在により適度の弾性力をもって保たれる。
【００１９】
このように、ブリスター１の吊り下げ孔１ａ周囲に設けた筒状部１１を、台紙２の吊り下げ孔２ａに挿入することで、台紙２をブリスター１に容易に固定することができる。
また、ブリスター１には、従来のような補強用凹部１ｄ（図１４参照）を省くことができる。
【００２０】
そして、ブリスター１の折り返し片１２は、吊り下げ孔１ａ周囲の筒状部１１上辺に係止させるだけの短さでよい。
従って、台紙２のヘッダー２ｈを大きく確保することが可能となり、展示効果アップが実現でき、また、ブリスター１のプラスチック使用量の削減が可能となる。
【００２１】
以上、実施形態のブリスターパックによれば、台紙２のヘッダー２ｈを大きく確保して展示効果アップを実現でき、また、ブリスター材料を削減できる。
【００２２】
そして、台紙２は、平坦部２１からヘッダー２ｈに連続する直角壁部２２の存在により強度を確保しながら、その左右両側に円弧状片２３を設けているので、直角壁部２２とその外側の円弧状片２３とで囲まれた隙間から、平坦部２１に位置する電卓３の側面を背面側から覗いて、素材を確認できる。
【００２３】
しかも、ブリスター１は、膨出部１３の外側に、ヘッダーカバー部１４の両側部から連続して円弧状部１６が形成されているので、強度も向上することができる。
【００２４】
（実施形態２）
図６及び図７は実施形態２を示すもので、前述した実施形態１と同様、１はブリスター、１ａは吊り下げ孔、１１は筒状部、１２は折り返し片、１２ｂはリブ、１４はヘッダーカバー部、１５はガイド片、１６は円弧状部、２は台紙、２ａは吊り下げ孔、２１は平坦部、２３は円弧状片、２４は上辺部、２５は側辺部であって、２６は傾斜壁部である。
【００２５】
すなわち、実施形態２は、台紙２に、実施形態１の直角壁部２２に代えて、図示のように、平坦部２１及びヘッダー２ｈに連続する傾斜壁部２６を形成している。
【００２６】
このように、台紙２の平坦部２１とヘッダー２ｈの間を傾斜壁部２６としても、強度を確保しながら、傾斜壁部２６とその外側の円弧状片２３とで囲まれた隙間から、平坦部２１に位置する電卓３の側面を背面側から覗いて、素材を確認できる。
【００２７】
（実施形態３）
図８及び図９は実施形態３を示すもので、前述した実施形態１と同様、１はブリスター、１ａは吊り下げ孔、１１は筒状部、１２は折り返し片、１２ｂはリブ、１４はヘッダーカバー部、１５はガイド片、１６は円弧状部、２は台紙、２ａは吊り下げ孔、２１は平坦部、２４は上辺部、２５は側辺部であって、２７は円弧状壁部である。
【００２８】
すなわち、実施形態３は、台紙２に、実施形態１の直角壁部２２及び円弧状片２３に代えて、図示のように、平坦部２１及びヘッダー２ｈに連続する円弧状壁部２７を一様に形成している。これに合わせて、ブリスター１には、膨出部１３及びヘッダーカバー部１４に連続する円弧状部１６を一様に形成しておく。
【００２９】
このように、台紙２の平坦部２１とヘッダー２ｈの間を一様な円弧状壁部２７としても、強度を確保できる。
【００３０】
（実施形態４）
図１０は実施形態４を示すもので、前述した実施形態１と同様、１はブリスター、１ａは吊り下げ孔、１１は筒状部、１２は折り返し片、１２ｂはリブ、１４はヘッダーカバー部、１５はガイド片、１６は円弧状部、２は台紙、２１は平坦部、２２は直角壁部、２３は円弧状片、２４は上辺部、２５は側辺部であって、１２ｃは吊り下げ孔である。
【００３１】
すなわち、実施形態４は、台紙２の折り返し片１２に、実施形態１の切り欠き１２ａに代えて、仮想線で示すように、中央に吊り下げ孔１２ｃを形成しておく。
【００３２】
そして、図示のように、ブリスター１の折り返し片１２をヘッダーカバー部１４内に折り返して、その中央の吊り下げ孔１２ｃに吊り下げ孔１ａ周囲の筒状部１１を挿入する。この折り返し片１２の筒状部１１に対する係止状態はリブ１２ｂの存在により適度の弾性力をもって保たれる。
【００３３】
このように、ブリスター１の折り返し片１２は、吊り下げ孔１２ｃを形成するだけの短さでもよい。
【００３４】
（変形例）
以上の実施形態においては、電卓のブリスターパックとしたが、本発明はこれに限定されるものではなく、カメラや携帯電話や電子辞書など他の電子機器のブリスターパックであってもよい。
また、実施形態１・２では、ヘッダーに連続する円弧状片としたが、平坦部に連続する円弧状片としてもよい。
さらに、吊り下げ孔及び筒状部の形状、折り返し片の形状等も任意であり、その他、具体的な細部構造等についても適宜に変更可能であることは勿論である。
【００３５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
吊り下げ孔が形成されたブリスターと、
吊り下げ孔が形成された台紙と、
を備え、
前記ブリスターの前記吊り下げ孔の周囲に筒状部を形成し、
前記筒状部を前記台紙の前記吊り下げ孔に挿入したことを特徴とするブリスターパック。
＜請求項２＞
前記ブリスターの端部には、折り返した状態で前記筒状部の外周に係止する折り返し片を形成したことを特徴とする請求項１に記載のブリスターパック。
＜請求項３＞
前記ブリスターの端部には、折り返した状態で前記筒状部が挿入される吊り下げ孔を有する折り返し片を形成したことを特徴とする請求項１に記載のブリスターパック。
＜請求項４＞
前記台紙には、平坦部と、この平坦部に対し段差をもって高く形成されて前記電子機器の特長等が表示されるヘッダーとの間において、両側部を除いて前記平坦部及びヘッダーにそれぞれ連続する直角壁部と、前記両側部で前記平坦部またはヘッダーに連続する円弧状片部と、を形成したことを特徴とする請求項１から３のいずれか一項に記載のブリスターパック。
＜請求項５＞
前記台紙には、平坦部と、この平坦部に対し段差をもって高く形成されて前記電子機器の特長等が表示されるヘッダーとの間において、両側部を除いて前記平坦部及びヘッダーにそれぞれ連続する傾斜壁部と、前記両側部で前記平坦部またはヘッダーに連続する円弧状片部と、を形成したことを特徴とする請求項１から３のいずれか一項に記載のブリスターパック。
＜請求項６＞
前記台紙には、平坦部と、この平坦部に対し段差をもって高く形成されて前記電子機器の特長等が表示されるヘッダーとの間において、両側部まで前記平坦部及びヘッダーにそれぞれ連続する円弧状壁部を形成したことを特徴とする請求項１から３のいずれか一項に記載のブリスターパック。
＜請求項７＞
前記ブリスターと台紙との間に電子機器が収容されることを特徴とする請求項１から６のいずれか一項に記載のブリスターパック。
【符号の説明】
【００３６】
１  ブリスター
１ａ  吊り下げ孔
１１  筒状部
１２  折り返し片
１２ａ  切り欠き
１２ｂ  リブ
１２ｃ  吊り下げ孔
１３  膨出部
１３ａ  開口
１４  ヘッダーカバー部
１５  ガイド片
１６  円弧状部
２  台紙
２ａ  吊り下げ孔
２ｈ  ヘッダー
２１  平坦部
２２  直角壁部
２３  円弧状片
２４  上辺部
２５  側辺部
２６  傾斜壁部
２７  円弧状壁部
３  電子機器
【図１】
2014122054.tif 000003
【図２】
2014122054.tif 000004
【図３】
2014122054.tif 000005
【図４】
2014122054.tif 000006
【図５】
2014122054.tif 000007
【図６】
2014122054.tif 000008
【図７】
2014122054.tif 000009
【図８】
2014122054.tif 000010
【図９】
2014122054.tif 000011
【図１０】
2014122054.tif 000012
【図１１】
2014122054.tif 000013
【図１２】
2014122054.tif 000014
【図１３】
2014122054.tif 000015
【図１４】
2014122054.tif 000016